(57)【要約】      （修正有）【課題】補強体に保持された手提げ紐を円滑に組み付けることができる手提げ袋を提供する。【解決手段】袋本体１は、その開放端側に袋内方へ折り返される折返し補強部２８を備える。手提げ紐２は袋本体１への連結用の端部に補強体２６を有する。袋本体１では、折返し補強部２８と袋本体１の内面との間に補強体２６を挟持すると共に、折返し補強部２８の端縁から折り返し線の近くにまで線状スリットＳ１を形成する。手提げ紐２は折返し補強部２８の折り返しに伴って線状スリットＳ１に挿通し、線状スリットＳ１の奥端に連設した紐挿通部Ｓ２を通して袋本体外方に導出している。【選択図】図１
0003163115.tif 000002
【実用新案登録請求の範囲】
【請求項１】
一端側に開放端を有する袋本体と、
前記袋本体へ連結される端部に補強体が備えられた手提げ紐と、
を有し、
前記袋本体は、その開放端側に袋内方へ折り返された折返し補強部を備えると共に、前記折返し補強部と前記袋本体の内面との間に前記補強体を挟持し、かつ、前記折返し補強部の端縁から前記折返し補強部の折り返し線の近くにまで線状スリットを形成してなり、
前記手提げ紐は、前記折返し補強部の折り返しに伴って前記線状スリットに挿通していると共に、前記線状スリットの奥端に連設した紐挿通部を通して前記袋本体外方に導出している、
ことを特徴とする手提げ袋。
【請求項２】
前記紐挿通部を、前記線状スリットの奥端に連通する直線スリット状に構成してある請求項１記載の手提げ袋。
【請求項３】
前記紐挿通部を、前記線状スリットの奥端に連通する抜き孔に構成してある請求項１記載の手提げ袋。
【請求項４】
前記紐挿通部を、前記線状スリットの奥端に連通する曲線スリット状に構成してある請求項１記載の手提げ袋。
【請求項５】
直線スリット状の前記紐挿通部は、その直線中途部で前記線状スリットと連通している請求項２記載の手提げ袋。
【請求項６】
直線スリット状の前記紐挿通部は、前記線状スリットと連通している前記直線中途部で前記線状スリットに向けて屈曲している、
請求項５記載の手提げ袋。
【請求項７】
直線スリット状の前記紐挿通部は、その直線端部で前記線状スリットと連通している請求項２記載の手提げ袋。
【考案の詳細な説明】
【技術分野】
【０００１】
本考案は、一端側に開放端を有する袋本体と、前記袋本体へ連結される端部に補強体が備えられた手提げ紐と、を具備した手提げ袋に関するものである。
【背景技術】
【０００２】
手提げ袋としては、一端に開放端を有する袋本体と、袋本体への連結用の端部に補強体が備えられた手提げ紐とを備えたうえで、袋本体の開放端側に袋内方へ折り返される折返し補強部を設け、折り返された折返し補強部と袋本体の内面との間に手提げ紐の補強体を挟持して貼り合せたものが知られている。この従来例では手提げ紐は、折り返し補強部に設けた切目を挿通する。
【特許文献１】実公昭４８−０４３０６０号公報
【考案の概要】
【考案が解決しようとする課題】
【０００３】
上記従来例では、手提げ紐を挿通させる部分が切目でしかないので、手提げ紐を通しにくい、という課題がある。
【０００４】
さらに上記従来例では、提げ紐を挿通させる際に切目が拡開されるために、折返し補強部に曲げ癖が生じやすく、さらには拡開によって切目に破れが生じる可能性が高い、という課題がある。
【０００５】
本考案は、このような課題に着目してなされたものであって、袋内面と折返し補強部との間に補強体を貼り合せ挟持するにあたり、折返し補強部の紐通過部位に曲げ癖や破れを生じさせることなく、補強体に保持された手提げ紐を円滑に組み付けることができる手提げ袋を提供することを目的とするものである。
【課題を解決するための手段】
【０００６】
上記目的を達成するために、本考案では次のように構成している。
【０００７】
本考案による手提げ袋は、一端側に開放端を有する袋本体と、前記袋本体へ連結される端部に補強体が備えられた手提げ紐と、を有し、前記袋本体は、その開放端側に袋内方へ折り返された折返し補強部を備えると共に、前記折返し補強部と前記袋本体の内面との間に前記補強体を挟持し、かつ、前記折返し補強部の端縁から前記折返し補強部の折り返し線の近くにまで線状スリットを形成してなり、前記手提げ紐は、前記折返し補強部の折り返しに伴って前記線状スリットに挿通していると共に、前記線状スリットの奥端に連設した紐挿通部を通して前記袋本体外方に導出した構成とした、ことを特徴とする。
【０００８】
本考案においては、上記構成を備えたから、前記折返し補強部を折り返すと、手提げ紐が線状スリットと重複するので、手提げ紐は相対的に線状スリットを少し押し拡げながら線状スリットに沿って円滑に通過し、線状スリットの奥端に連設された紐挿通部を通して手提げ紐が袋本体外方に導出されることになる。
【０００９】
したがって、本考案においては、袋内面と折返し補強部との間に補強体を貼り合せ挟持するに当たって、折返し補強部の紐通過部位に曲げ癖や破れを生じさせるようなおそれがなくなって、補強体に保持された手提げ紐を円滑に組み付けることができる。
【００１０】
好ましくは、前記紐挿通部を、前記線状スリットの奥端に連通する直線スリット状に構成する。この構成では、前記紐挿通部の直線中途部で前記線状スリットと連通してもよいし、直線端部で前記線状スリットと連通してもよい。また前記紐挿通部の直線中途部で前記線状スリットと連通する構成では、前記線状スリットと連通している前記直線中途部で前記線状スリットに向けて屈曲してもよい。
【００１１】
これらの構成とした場合、薄板状の扁平な刃体をＴ字状やＬ字状等に組み合わせた単純なカッタを用いて、袋本体の原シートに所望の線状スリットと紐挿通部を簡単に切り込み形成することができるという効果を得られる。
【００１２】
また好ましくは、前記紐挿通部を、前記線状スリットの奥端に連通する抜き孔に構成する。
【００１３】
この構成とした場合、紐挿通部の孔縁に手提げ紐が接触しにくくなり、紐挿通部が手提げ紐との接触によって破れることがないという効果を得られる。
【００１４】
また前記紐挿通部を、前記線状スリットの奥端に連通する曲線スリット状に構成することもできる。
【考案の効果】
【００１５】
以上において、本考案によれば、袋内面と折返し補強部との間に補強体を貼り合せ挟持するに当たり、折返し補強部に形成した線状スリットの一側方に位置する切辺に曲げ癖や破れを生じさせるようなことがなくなり、その結果、補強体に保持された手提げ紐を円滑に組み付けることができるようになる。
【図面の簡単な説明】
【００１６】
【図１】図１は本考案の実施形態にかかる手提げ袋の外観を示す図である。
【図２】図２はスリット加工された原シートを展開して示す図である。
【図３】図３は手提げ紐を貼り付けた原シートを展開して示す図である。
【図４】図４は手提げ紐貼付け部位を示す図である。
【図５】図５は折返し補強部を折返して重合した原シートを展開して示す図である。
【図６】図６は折返し重合箇所を示す図である。
【図７】図７（ａ）（ｂ）は本考案の別の実施形態の要部を示す図である。
【図８】図８（ａ）〜（ｄ）は、本考案のさらに別の実施形態の要部を示す図である。
【考案を実施するための形態】
【００１７】
以下、添付した図面を参照して本考案の実施形態に係る手提げ袋を詳細に説明する。図１に本考案の実施形態に係る手提げ袋の外観を示す。同図に示す手提げ袋は、袋本体１と、手提げ紐２とを具備する。袋本体１は、１枚の原シートを折り上げて、前後に対向する一対の主面１Ａ、内折り可能な左右一対の側面１Ｂ、および折り重ね構造の底面１Ｃを備えた底付き筒状に形成されている。各主面１Ａの上端部それぞれに手提げ紐２が取り付けられる。袋本体１は、図２で示す矩形に裁断された原シート３を、左右両端辺を糊代３ａを介して貼り合せ結合して筒状に形成したものであり、所定の折れ線ａに沿って折り曲げることで、主面１Ａ、側面１Ｂ、および、底面１Ｃがそれぞれ形成される。
【００１８】
図２ないし図６を参照して、上記手提げ袋における手提げ紐の組付け工程を説明する。原シート３は、袋本体１に対応した所定寸法に裁断されたシートである。この原シート３の端辺に手提げ紐装着のためのスリット加工がなされる。すなわち、図２に示すように、原シート３における主面１Ａに相当する部位の上端から所定深さで左右一対の線状スリットＳ１が形成されるとともに、各線状スリットＳ１の奥端に該線状スリットＳ１の形成方向と直交した状態で線状スリットＳ１に連通する直線スリット状の紐挿通部Ｓ２が切り込み形成される。紐挿通部Ｓ２は、その直線中途部Ｓ２ａで線状スリットＳ１の奥端に連通している。こうしてスリットＳ１，Ｓ２の形成加工が終了した原シート３に対して所定箇所に所定パターンで接着剤が転写塗布される。
【００１９】
図３、図４に示すように、２本で一対の手提げ紐２は、それぞれ、両端部が補強体２６によって固定された形状を有している。補強体２６は、横長短冊状に形成された２枚の補強シートを貼り合わせて構成されたものであり、手提げ紐２の両端部それぞれは、互いに左右一対の線状スリットＳ１の形成間隔と同じ左右間隔をあけて上記２枚の補強シートの間に挟み込まれて固定されている。
【００２０】
このようにして構成された２本で一対の手提げ紐２は、図３に示すように、糊付けされた原シート３の線状スリット形成位置それぞれに配置される。そのうえで、手提げ紐２、２は、原シート３の端部より所定距離だけ入り込んだ位置において原シート内面に貼り付けられる。その際、手提げ紐２は、紐端部の位置が線状スリットＳ１の位置と一致するように配置される。こうして原シート３の左右２箇所それぞれに手提げ紐２が貼り付け装着される。
【００２１】
そして、左右２箇所に２本の手提げ紐２が貼り付け装着された原シート３に対して、図５、図６に示すように、袋開放端の端辺を全周に亘って補強するための折り返し処理が施される。原シート３は、その上端辺全長にわたり所定上下幅の折返し補強部２８を備えており、この折返し補強部２８が折返し線ｂを介して原シート内面（袋内面）側に折り返されて貼り合わされる。
【００２２】
この場合、折返し補強部２８の折返し線ｂは、原シート３の内面に貼り付けられた補強体２６と、原シート３に切り込み形成された紐挿通部Ｓ２との間に設定されるとともに、補強体２６に保持された手提げ紐２の根元側部分と線状スリットＳ１との左右方向位置が一致している。したがって、折返し補強部２８を折り返すと、手提げ紐２は相対的に線状スリットＳ１を少し押し拡げながら通過し、線状スリットＳ１の延長線上に位置する部位において手提げ紐２が紐挿通部Ｓ２に挿通されて袋本体外方に導出される。
【００２３】
このようにして、折返し補強部２８を折り返して貼り合せた天折り状態では、袋開放端となる上端辺が全長に亘って補強されるとともに、折返し補強部２８の内側に挟み込まれた補強体２６を介して手提げ紐２が袋本体１の内面側に強固に取り付けられる。しかも、折返し補強部２８を折り返すと、手提げ紐２が線状スリットＳ１と重複するので、手提げ紐２は相対的に線状スリットＳ１を少し押し拡げながら線状スリットＳ１に沿って円滑に通過し、線状スリットＳ１の奥端に連設された紐挿通部Ｓ２を通して手提げ紐２が袋本体１の外方に円滑に導出されることになる。
【００２４】
以上の天折り処理の済んだ原シート３には、原シート３の両端部をのり代３ａを介して筒状に貼り合せる胴貼り処理、左右の側面１Ｂを内折り可能にするマチ折り処理、および、底面１Ｃを折り重ねて貼り合せる底製処理が行われ、もって、図１に示す手提げ袋が完成する。
【００２５】
このようにして形成される本実施形態の手提げ袋では、袋内面と折返し補強部２８との間に補強体２６を貼り合せ挟持するにあたり、折返し補強部２８に形成した線状スリットＳ１の一側方に位置する切辺に曲げ癖や破れを生じさせることなく、補強体２６に保持された手提げ紐２を円滑に組み付けることができる。また、手提げ紐２は、折り返し補強部２８と袋本体１との間の接着部位を通過することなく、紐挿通部Ｓ２を挿通するので、袋本体１内外を通過する手提げ紐２によって上記接着部位に剥がれ等の悪影響が生じにくくなっている。
【００２６】
なお、線状スリットＳ１の奥端に連設される紐挿通部Ｓ２の左右長さは、原シート３の剛性や手提げ紐２の太さなどに応じて適宜設定するとよい。
【００２７】
また、線状スリットＳ１の奥端に連設される紐挿通部Ｓ２は上記のような直線状のものに限られるものではなく、例えば図７（ａ）（ｂ）に示すように、線状スリットＳ１の奥端に連通する円形の抜き孔に形成してもよく、また、横長楕円形あるいはその他の形状の抜き孔に形成して実施することもできる。図７（ａ）は、折返し補強部２８を折返し線ｂで折返す前、図７（ｂ）は折返した後の手提げ袋の要部を示す。さらに紐挿通部Ｓ２は、図８（ａ）〜（ｄ）に示すように形成してもよい。
【００２８】
図８（ａ）、（ｂ）は、線状スリットＳ１の奥端に、その中途部Ｓ２ａが連通する直線スリット状の紐挿通部Ｓ２、Ｓ２であるものの、これらの紐挿通部Ｓ２、Ｓ２の直線中途部Ｓ２ａは、線状スリットＳ１に向けて屈曲している。なお、紐挿通部Ｓ２、Ｓ２の屈曲部位における屈曲角度は、図８（ａ）＜図８（ｂ）となっている。
【００２９】
図８（ｃ）は、線状スリットＳ１の奥端に連通する、曲線スリット状の紐挿通部Ｓ２である。曲線スリット状の紐挿通部Ｓ２は、線状スリットＳ１に向けて湾曲している。図８（ｄ）は、線状スリットＳ１の奥端に連通する、Ｌ形スリット状の紐挿通部Ｓ２である。Ｌ形スリット状の紐挿通部Ｓ２は、線状スリットＳ１の奥端に連通する直線スリット状を有しており、その直線端部Ｓ２ｂで線状スリットＳ１と連通している。なお、図８（ａ）〜（ｄ）では、図２と同様の展開図の状態（原シート３）で紐挿通部Ｓ２を示している。
【符号の説明】
【００３０】
１    袋本体
２    手提げ紐
２ａ  手提げ紐部分
３    原シート
２６  補強体
２８  折返し補強部
Ｓ１  線状スリット
Ｓ２  紐挿通部
【図１】
0003163115.tif 000003
【図２】
0003163115.tif 000004
【図３】
0003163115.tif 000005
【図４】
0003163115.tif 000006
【図５】
0003163115.tif 000007
【図６】
0003163115.tif 000008
【図７】
0003163115.tif 000009
【図８】
0003163115.tif 000010